(57)【要約】      （修正有）【課題】構造設計が精巧で、堅固で、占用スペースが小さく、清潔で衛生的で、操作が簡単な回転モップバケツを提供する。【解決手段】回転モップバケツはバケツ本体１１を含み、バケツ本体１１の底部に脱水かご台１０が設けられ、脱水かご台１０の中心のカウンタボア内にスチールニードル９が設けられ、スチールニードル９の頂部の小さなくぼみ内にスチールボール８が設けられる。スチールニードル９の外側にかぶせるかごの芯７がスチールボール８を押さえ、かごの芯７は脱水かご４の中心の大きなくぼみ内に固定される。バケツ本体１１の両側に沿った第一の位置戻しバネ６が脱水かご台１０と接続するように設置され、脱水かご台１０の一側にその昇降および位置決めを制御することができる回転式の調節バー５が設置される。調節バー５の頂部に調節つまみ２が設けられる。【選択図】図１
0003188775.tif 000002
【実用新案登録請求の範囲】
【請求項１】
バケツ本体（１１）を含む回転モップバケツであって、バケツ本体（１１）に片側突縁（１２）が設けられ、バケツ本体（１１）の頂部に当該バケツ本体（１１）と互いに組み合わさる防水カバー（３）およびハンドル（１）が設けられ、防水カバー（３）における片側突縁（１２）の上方に出水口（１５）が設けられ、バケツ本体（１１）の底部に脱水かご台（１０）が設けられ、脱水かご台（１０）の中心のカウンタボア内にスチールニードル（９）が設けられ、スチールニードル（９）の頂部の小さなくぼみ内にスチールボール（８）が設けられ、スチールニードル（９）の外側にかぶせるかごの芯（７）がスチールボール（８）を押さえ、かごの芯（７）が脱水かご（４）の中心の大きなくぼみ内に固定され、バケツ本体（１１）の両側に沿った、または底部の第一の位置戻しバネ（６）が脱水かご台（１０）と接続するように設置され、脱水かご台（１０）の一側にその昇降および位置決めを制御することができる回転式の調節バー（５）が設置され、調節バー（５）の頂部に調節つまみ（２）が設けられることを特徴とする、回転モップバケツ。
【請求項２】
バケツ本体（１１）内壁の突状柱（１３）の頂部に、脱水かご台（１０）の上昇を制限する位置制限ネジ（１４）が設けられることを特徴とする、請求項１に記載の回転モップバケツ。
【請求項３】
調節バー（５）の上端に、脱水かご台（１０）の上昇を制限する突起（１８）が設けられることを特徴とする、請求項１に記載の回転モップバケツ。
【請求項４】
脱水かご台（１０）の底部に、第一の位置戻しバネ（６）および第二の位置戻しバネ（１６）が設けられることを特徴とする、請求項１に記載の回転モップバケツ。
【請求項５】
第一の位置戻しバネ（６）および第二の位置戻しバネ（１６）の材料が金属であることを特徴とする、請求項４に記載の回転モップバケツ。
【請求項６】
防水カバー（３）の底部に、脱水かご台（１０）の上昇を制限する位置制限バー（１７）が設けられることを特徴とする、請求項１に記載の回転モップバケツ。
【請求項７】
バケツ本体（１１）の底部に凹部（２１）が設けられ、さらに当該凹部（２１）が調節バー（５）の一端（１９）と組み合わされ、調節バー（５）の別の一端が調節つまみ（２）と接続され、防水カバー（３）の孔（２０）と組み合わさって回転し、脱水かご（４）と脱水かご台（１０）の上昇および下降動作の切替が完成することを特徴とする、請求項１〜６のいずれか１項に記載の回転モップバケツ。
【請求項８】
調節バー（５）に突起状ガイド溝（２２）が設けられ、脱水かご台（１０）に突起状ガイド溝（２２）と組み合わさるくぼみが設けられ、脱水かご台（１０）が上下にスライドすることができることを特徴とする、請求項７に記載の回転モップバケツ。
【考案の詳細な説明】
【技術分野】
【０００１】
本考案はモップバケツに関し、特に回転モップバケツに関する。
【背景技術】
【０００２】
従来のモップの脱水かごは脱水機能を備えるのみであり、モップを洗浄するには脱水かごから離れて、別の場所で行わなければならず、バケツ本体の設計サイズが大きくなり、占用スペースが比較的大きくなる。モップを汚水部分から脱水部分に入れる過程において、汚水が極めて容易に外側にはね、床、壁または家具を汚してしまう。
【考案の概要】
【考案が解決しようとする課題】
【０００３】
既存のモップバケツの欠点に対して、本考案は回転モップバケツを提供する。
【課題を解決するための手段】
【０００４】
上記目的を実現するため、本考案が講じた措置は以下の通りである。
【０００５】
回転モップバケツはバケツ本体を含み、バケツ本体に片側突縁が設けられ、バケツ本体の頂部にこれと互いに組み合わさる防水カバーおよびハンドルが設けられる。防水カバーにおける片側突縁の上方に出水口が設けられ、バケツ本体の底部に脱水かご台が設けられる。脱水かご台の中心のカウンタボア内にスチールニードルが設けられ、スチールニードルの頂部の小さなくぼみ内にスチールボールが設けられる。スチールニードルの外側にかぶせるかごの芯がスチールボールを押さえ、かごの芯は脱水かごの中心の大きなくぼみ内に固定される。バケツ本体の両側に沿った、または底部の第一の位置戻しバネが脱水かご台と接続するように設置され、脱水かご台の一側にその昇降および位置決めを制御することができる回転式調節バーが設置される。調節バーに脱水かご台のガイド溝と組み合わさる位置決めボスが設けられ、調節バーの頂部に調節つまみが設けられる。
【０００６】
一実施形態では、バケツ本体内壁の突状柱の頂部に、脱水かご台の上昇を制限する位置制限ネジが設けられる。
【０００７】
一実施形態では、調節バーの上端に、脱水かご台の上昇を制限する突起が設けられる。
【０００８】
一実施形態では、脱水かご台の底部に、第二の位置戻しバネが設けられる。
【０００９】
一実施形態では、防水カバーの底部に、脱水かご台の上昇を制限する位置制限バーが設けられる。
【００１０】
一実施形態では、第一の位置戻しバネおよび第二の位置戻しバネの材料は金属である。
【００１１】
一実施形態では、脱水かごは脱水かご台と下降し、調節バーにその上昇を制御する突起が設けられ、脱水かご台にこれと組み合わさる弾性突起が設けられる。
【００１２】
バケツ底部に凹部または凸点が設けられ、さらに凹部または凸点は調節バーの一端と組み合わされ、調節バーの別の一端は調節つまみと接続され、防水カバーの孔と組み合わさって回転し、脱水かごと脱水かご台の上昇および下降動作の切替が完成する。
【００１３】
一実施形態では、調節バーに突起状ガイド溝が設けられ、脱水かご台にこれと組み合わさるくぼみが設けられ、脱水かご台は上下にスライドすることができる。
【００１４】
一実施形態では、調節バーに脱水かご台を支持することができる突起点が設けられ、バケツの側面に支持点または凸点が設けられる。
【考案の効果】
【００１５】
本考案の有益な効果は、構造設計が精巧で、堅固で信頼でき、占用スペースが小さく、清潔で衛生的であり、操作が簡単なことである。
【図面の簡単な説明】
【００１６】
【図１】本考案の断面構造の概要図である。
【図２】本考案の構造概要図である。
【図３】位置制限ネジおよび第二の位置戻しバネの取付概要図である。
【図４】位置制限バーおよび第二の位置戻しバネの取付概要図である。
【図５】調節バーの構造概要図である。
【考案を実施するための形態】
【００１７】
（実施例）
図１乃至図５に示すように、回転モップバケツはバケツ本体（１１）を含み、バケツ本体（１１）に片側突縁（１２）が設けられ、バケツ本体（１１）の頂部にこれと互いに組み合わさる防水カバー（３）およびハンドル（１）が設けられる。
防水カバー（３）における片側突縁（１２）の上方に出水口（１５）が設けられ、バケツ本体（１１）の底部に脱水かご台（１０）が設けられる。脱水かご台（１０）の中心のカウンタボア内にスチールニードル（９）が設けられ、スチールニードル（９）の頂部の小さなくぼみ内にスチールボール（８）が設けられる。スチールニードル（９）の外側にかぶせるかごの芯（７）がスチールボール（８）を押さえ、かごの芯（７）は脱水かご（４）の中心の大きなくぼみ内に固定される。
バケツ本体（１１）の両側に沿った、または底部の第一の位置戻しバネ１（６）が脱水かご台（１０）と接続するように設置され、脱水かご台（１０）の一側に、その昇降および位置決めを制御することができる回転式調節バー（５）が設置される。調節バー（５）に脱水かご台（１０）のガイド溝と組み合わさる位置決めボスが設けられ、調節バー（５）の頂部に調節つまみ（２）が設けられる。
【００１８】
図３に示されるように、バケツ本体（１１）内壁の突状柱（１３）の頂部に、脱水かご台（１０）の上昇を制限する位置制限ネジ（１４）が設けられる。
図５に示されるように、調節バー（５）の上端に、脱水かご台（１０）の上昇を制限する突起（１８）および凸点（不図示）が設けられる。
図３及び図４に示されるように、脱水かご台（１０）の底部に第二の位置戻しバネ（１６）が設けられる。
図４に示されるように、防水カバー（３）の底部に、脱水かご台（１０）の上昇を制限する位置制限バー（１７）が設けられる。スチールニードル（９）およびスチールボール（８）の材料はステンレスである。第一の位置戻しバネ（６）および第二の位置戻しバネ（１６）の材料は金属である。脱水かご（４）は脱水かご台（１０）と下降し、調節バー（５）にその上昇を制御する突起（１８）が設けられる。
【００１９】
図３及び図４に示されるように、バケツ底部に凹部（２１）または凸点が設けられ、さらに凹部（２１）または凸点は調節バー（５）の一端（１９）と組み合わされ、調節バー（５）の別の一端は調節つまみ（２）と接続され、防水カバー（３）の孔（２０）と組み合わさって回転し、脱水かご（４）と脱水かご台（１０）の上昇および下降動作の切替が完成する。
【００２０】
図５に示されるように、調節バー（５）に突起状ガイド溝（２２）が設けられ、脱水かご台（１０）にこれと組み合わさるくぼみ（不図示）が設けられ、脱水かご台（１０）は上下にスライドすることができる。
【００２１】
調節バー（５）に脱水かご台（１０）を支持することができる突起点が設けられる。
【００２２】
脱水かご台（１０）が下降するとき、バケツ縁部の突起により支持され、脱水かご台（１０）は下降してバケツ底部により支持される。
【００２３】
使用に際して、脱水を選択する場合、調節つまみ（２）を回転することにより、脱水かご台（１０）を第一の位置戻しバネ（６）または第二の位置戻しバネ（１６）の作用により上昇させ、位置制限ネジ（１４）まで到達させることができ、その後、調節つまみ（２）を回転し、位置決めボスの上表面を脱水かご台（１０）に係着させる。
洗浄を選択する場合、調節つまみ（２）を回転して脱水かご台（１０）を押し、これを所定の場所まで下降させ、その後、再び調節つまみ（２）を回転し、位置決めボスの下表面を脱水かご台（１０）に係着させる。
スチールニードル（９）およびスチールボール（８）の材料はステンレスであり、第一の位置戻しバネ（６）および第二の位置戻しバネ（１６）の材料は金属である。バケツの側面に支持点または凸点が設けられる。
【００２４】
脱水かご（４）は脱水かご台（１０）と下降し、調節バー（５）にその上昇を制御する突起（１８）が設けられる。脱水かご（４）および脱水かご台（１０）が脱水状態（すなわち位置が戻された後）の場合、調節バー（５）に脱水かご（４）および脱水かご台（１０）が下降することがないように制御する突起（１８）が設けられる。
バケツ底部に凹部（２１）または凸点を有し、調節バー（５）の一端（１９）と組み合わされ、調節バー（５）の別の一端が調節つまみ（２）と接続され、防水カバー（３）の孔（２０）と組み合わさって回転することができ、脱水かご（４）と脱水かご台（１０）の上昇および下降動作の切替が完成する。
【００２５】
本考案の有益な効果は、構造設計が精巧で、堅固で信頼でき、占用スペースが小さく、清潔で衛生的であり、操作が簡単なことである。
【図１】
0003188775.tif 000003
【図２】
0003188775.tif 000004
【図３】
0003188775.tif 000005
【図４】
0003188775.tif 000006
【図５】
0003188775.tif 000007